(57)【要約】【課題】コストダウンを図ると共に、走査体の初期位置を迅速且つ確実に検出する。【解決手段】本発明は、原稿１１が載置される透明な原稿台１２の下方において画像読取範囲を移動してスキャンする走査体１４と原稿１１の画像を読み取る画像読取センサ１６とを備えた画像読取装置１０であって、主走査方向の１ラインの一端の画像領域外において画像読取用センサ１６が読み取る第１の読取データと主走査方向の１ラインの他端の画像領域外において画像読取用センサ１６が読み取る第２の読取データとの組合せによって走査体１４の副走査方向の位置を判別し、該判別された走査体の副走査方向の位置に基づき走査体１４の初期位置を検出することを特徴とする。【選択図】図１
2011077585.tif 000002
【特許請求の範囲】
【請求項１】
原稿が載置される透明な原稿台の下方において画像読取範囲を移動してスキャンする走査体と前記原稿の画像を読み取る画像読取センサとを備えた画像読取装置であって、
主走査方向の１ラインの一端の画像領域外において前記画像読取用センサが読み取る第１の読取データと主走査方向の１ラインの他端の画像領域外において前記画像読取用センサが読み取る第２の読取データとの組合せによって前記走査体の副走査方向の位置を判別し、該判別された走査体の副走査方向の位置に基づき前記走査体の初期位置を検出することを特徴とする画像読取装置。
【請求項２】
前記原稿台の周囲に設けられたスキャナフレームの内面の所定位置に該スキャナフレームの色と異なる色を付した色分け部が設けられている請求項１に記載の画像読取装置。
【請求項３】
前記色分け部は、副走査方向の一端と他端にそれぞれ１箇所ずつ設けられ、前記画像領域を挟んで対角する位置に設けられている請求項２に記載の画像読取装置。
【請求項４】
前記判別された走査体の副走査方向の位置毎に前記走査体に異なる動作を行わせ、該走査体を初期位置に移動させることを特徴とする画像読取装置。
【請求項５】
前記請求項１〜４のいずれかに記載の画像読取装置を備えてなる画像形成装置。
【発明の詳細な説明】
【技術分野】
【０００１】
本発明は、透明な原稿台上に載置された原稿の画像を画像読取用センサによって読み取る画像読取装置に関し、特に、画像読取センサが走査体の初期位置を検出する画像読取装置及び該画像読取装置を備えた画像形成装置に関する。
【背景技術】
【０００２】
従来、スキャナ、複写機等の画像形成装置には、透明な原稿台上に載置された原稿の画像を読み取るために画像読取装置が設けられている。この画像読取装置には、通常、原稿が載置される透明な原稿台の下方において画像読取範囲を移動してスキャンする走査体と、該走査体がスキャンしたデータにより前記原稿の画像を読み取る画像読取センサと、前記走査体の初期位置を検出する位置検出用センサとが備えられており、この位置検出用センサのＯＮ／ＯＦＦ状態によって前記走査体の動き出し方向や初期位置の検出動作を行うようになっている。
【０００３】
また、近年では、コストダウンを図るため、画像読取センサでマーキング等を読み取ることによって、位置検出用センサを廃止した画像読取装置も提案されている。従来のこの種の画像読取装置としては、例えば、白色基準部材を黒色両面テープで貼り付け、黒色両面テープの境界部を画像読取センサで検出する方式を採用した装置が提案されている（例えば、特許文献１参照）。
【先行技術文献】
【特許文献】
【０００４】
【特許文献１】特開２００６−１４８６３５号公報
【発明の概要】
【発明が解決しようとする課題】
【０００５】
しかしながら、上記した従来の位置検出用センサを画像読取センサと別個に設けた画像読取装置では、位置検出用センサが必要となる分、コストダウンが図り難いといった問題があった。
【０００６】
一方、上記した従来の位置検出センサを廃止した画像読取装置では、走査体が検出動作を開始する位置や、原稿台上におけるマットの開閉状態や原稿の載置状態等によって、画像読取用センサの読取値が異なるため、走査体が移動する際に原稿台の周囲にあるスキャナフレームに衝突してしまったり、走査体の初期位置を誤検出してしまったりする可能性があり、走査体の初期位置を迅速且つ確実に検出することが難しいといった問題があった。
【０００７】
本発明は上記した課題を解決すべくなされたものであり、コストダウンを図ると共に、走査体の初期位置を迅速且つ確実に検出することのできる画像読取装置及び画像形成装置を提供することを目的とする。
【課題を解決するための手段】
【０００８】
上記した目的を達成するため、本発明は、原稿が載置される透明な原稿台の下方において画像読取範囲を移動してスキャンする走査体と前記原稿の画像を読み取る画像読取センサとを備えた画像読取装置であって、主走査方向の１ラインの一端の画像領域外において前記画像読取用センサが読み取る第１の読取データと主走査方向の１ラインの他端の画像領域外において前記画像読取用センサが読み取る第２の読取データとの組合せによって前記走査体の副走査方向の位置を判別し、該判別された走査体の副走査方向の位置に基づき前記走査体の初期位置を検出することを特徴とする。
【０００９】
そして、本発明に係る画像読取装置において、前記原稿台の周囲に設けられたスキャナフレームの内面の所定位置に該スキャナフレームの色と異なる色を付した色分け部が設けられているのが好ましい。
【００１０】
また、本発明に係る画像読取装置において、前記色分け部は、副走査方向の一端と他端にそれぞれ１箇所ずつ設けられ、前記画像領域を挟んで対角する位置に設けられているのが好ましい。
【００１１】
さらに、本発明に係る画像読取装置において、前記判別された走査体の副走査方向の位置毎に前記走査体に異なる動作を行わせ、該走査体を初期位置に移動させるのが好ましい。
【００１２】
さらにまた、本発明は、上記した画像読取装置を備えてなる画像形成装置であってもよい。
【発明の効果】
【００１３】
本発明によれば、コストダウンを図ると共に、走査体の初期位置を迅速且つ確実に検出することができる等、種々の優れた効果を得ることができる。
【図面の簡単な説明】
【００１４】
【図１】本発明の実施の形態に係る画像読取装置を示す側面図である。
【図２】本発明の実施の形態に係る画像読取装置を示す裏面図である。
【図３】本発明の実施の形態に係る画像読取装置において画像読取用センサが読み取る第１の読取データと第２の読取データとの組合せと、走査体の副走査方向の位置との関係を示す図である。
【発明を実施するための形態】
【００１５】
以下、図面を参照しつつ、本発明の実施の形態について説明する。ここで、図１は本発明の実施の形態に係る画像読取装置を示す側面図、図２は同画像読取装置を示す裏面図、図３は同画像読取装置において画像読取用センサが読み取る第１の読取データと第２の読取データとの組合せと、走査体の副走査方向の位置との関係を示す図である。
【００１６】
本発明の実施の形態に係る画像読取装置１０は、スキャナ、複写機等の画像形成装置に設けられ、原稿１１が載置される透明な原稿台としてのコンタクトガラス１２と、コンタクトガラス１２の周囲に矩形枠状に設けられるスキャナフレーム１３と、コンタクトガラス１２の下方において画像読取範囲を移動してスキャンする走査体１４と、レンズ１５を通して前記原稿の画像を読み取る画像読取センサとしてのＣＣＤ（Charge-Coupled Device）センサ１６と、走査体１４とレンズ１５とＣＣＤセンサ１６等を収容する筐体１７とを備えて構成されている。
【００１７】
コンタクトガラス１２の副走査方向の一端（図１及び図２の左端）には、主走査方向（図１の紙面垂直方向及び図２の縦方向）に沿って帯状の原稿サイズ指示板１８が設けられている。そして、この原稿サイズ指示板１８の裏面には白色基準部材２０が貼付されおり、白色基準部材２０の周囲にはこの白色基準部材２０の副走査方向の幅より狭い幅の黒色部分１９が枠状に形成されている。なお、この原稿サイズ指示板１８は原稿搬送読込方式における原稿搬送部材を兼ねており、スキャナフレーム１３とは別部材で構成されている。また、原稿サイズ指示板１８を挟んでコンタクトガラス１２の反対側でスキャナフレーム１３との間の帯状の隙間には原稿搬送読取用の読取ガラス２１が取り付けられている。
【００１８】
スキャナフレーム１３は黒色を成し、その内面には、副走査方向の一端（図２の左端）であって主走査方向の１ライン中の一端（図２の上端）に、スキャナフレーム１３の色と異なる色を付した色分け部として第１白色シール２２が貼付されている。また、スキャナフレーム１３の内面には、副走査方向の他端（図２の右端）であって主走査方向の１ライン中の他端（図２の下端）に、別の色分け部として第２白色シール２３が貼付されており、第１白色シール２２と第２白色シール２３とは画像領域（図２中の破線の内側部分）を挟んで対角した位置に配置されている。
【００１９】
走査体１４は、光源２４及び第１ミラー２５を有する第１走査体２６と、第２ミラー２７及び第３ミラー２８を有する第２走査体２９とによって構成されている。そして、光源２４から原稿１１に照射され、第１〜第３ミラー２５，２７，２８で反射された光はレンズ１５を通ってＣＣＤセンサ１６に受光され、走査体１４の初期位置は、常に副走査方向の同一方向からＣＣＤセンサ１６によって検出されるようになっている。
【００２０】
このような構成を備えた画像読取装置１０において、コンタクトガラス１２上の原稿の画像を読み取る場合、走査体１４が初期位置（図２中において一点鎖線で示す。）から移動を開始し、画像読み取り範囲を移動し、初期位置に戻る動作を行う。この時、ＣＣＤセンサ１６が繰り返し画像の読み取りを行った場合でも同じ範囲を読み取る精度を確保するため、走査体１４がスキャンする毎にＣＣＤセンサ１６は初期位置検出を行う。また、スキャン途中で走査体１４が停止した場合でも、走査体１４を適切に初期位置に戻す必要があるため、電源投入時には、走査体１４の初期位置の検出を行う。
【００２１】
走査体１４の初期位置を検出する場合、ＣＣＤセンサ１６が画像領域外の２箇所（図２中の上下破線部分）を読み取り、副走査方向の位置検出データとする。この位置検出データのうち、主走査方向の一端（図２中の上端）側のデータを第１の読取データ、主走査方向の他端（図２中の下端）側のデータを第２の読取データとすると、ＣＣＤセンサ１６は、第１の読取データと第２の読取データの各値をそれぞれ所定の閾値と比較し、閾値より大きい時に白色と判別し、閾値より小さい時に黒色と判別する。したがって、この結果、第１の読取データと第２の読取データの組合せは、図３に示すように、４通りに分けることができる。
【００２２】
先ず、第１の読取データと第２の読取データの組合せが（白色、黒色）であることをＣＣＤセンサ１６が判別した場合、ＣＣＤセンサ１６は、走査体１４の位置を、走査体１４の移動可能範囲の左側限度付近（図２中のＡ）と認識する。すると、制御部（図示省略）は、第１の白色シール２２と、白色基準部材２０と、第１白色シール２２と白色基準部材１８の間に存在する黒色部分１９との副走査方向の合計距離より長い距離、走査体１４を副走査方向他端側（図２の右端側）へ移動させる。そして、この位置における第１の読取データと第２の読取データの組合せが（黒色、黒色）であることをＣＣＤセンサ１６が検知すると、前記制御部は、第１の読取データが（白色）であることをＣＣＤセンサ１６が検知するまで、走査体１４を副走査方向一端側（図２の左端側）に移動させ、その後、所定のパルス数、移動させて初期位置に戻し、位置検出動作を完了する。
【００２３】
次に、第１の読取データと第２の読取データの組合せが（白色、白色）であることをＣＣＤセンサ１６が判別した場合、ＣＣＤセンサ１６は、走査体１４の位置を、白色基準部材２０の下方（図２中のＢ）と認識する。すると、前記制御部は、正常に位置検出動作を終了した後の初期位置検出の基本動作に入り、走査体１４を副走査方向他端側（図２の右端側）へ所定距離移動させる。そして、この位置における第１の読取データと第２の読取データの組合せが（黒色、黒色）であることをＣＣＤセンサ１６が検知すると、前記制御部は、第１の読取データが（白色）であることをＣＣＤセンサ１６が検知するまで、走査体１４を副走査方向一端側（図２の左端側）に移動させ、その後、所定のパルス数、移動させて初期位置に戻し、位置検出動作を完了する。
【００２４】
次に、第１の読取データと第２の読取データの組合せが（黒色、黒色）であるとＣＣＤセンサ１６が判別した場合、ＣＣＤセンサ１６は、走査体１４の位置を、第１白色シール２２と白色基準部材２０の間（図２中のＣ）又は画像読取範囲（図２中のＤ）と認識する。すると、前記制御部は、走査体１４を副走査方向他端側（図２の右端側）へ第１白色シール２２と白色基準部材２０の間の黒色部分１９の幅より少しだけ長い距離移動させる。
【００２５】
そして、この位置における第１の読取データが（白色）であることをＣＣＤセンサ１６が判別した場合、ＣＣＤセンサ１６は、走査体の位置を第１白色シール２２と白色基準部材１８の間（図２中のＣ）と認識する。すると、前記制御部は、走査体１４を副走査方向他端側（図２の右端側）へ白色基準部材２０を通り過ぎるまで移動させる。そして、この位置における第１の読取データと第２の読取データの組合せが（黒色、黒色）であることをＣＣＤセンサ１６が検知すると、前記制御部は、第１の読取データが（白色）であることをＣＣＤセンサ１６が検知するまで、走査体１４を副走査方向一端側（図２の左端側）に移動させ、その後、所定のパルス数、移動させて初期位置に戻し、位置検出動作を完了する。
【００２６】
一方、走査体１４が副走査方向他端側（図２の右端側）へ第１白色シール２２と白色基準部材２０の間の黒色部分１９の幅より少しだけ長い距離移動した後、第１の読取データが（黒色）であることをＣＣＤセンサ１６が判別した場合、ＣＣＤセンサ１６は、走査体１４の位置を画像読取範囲（図２中のＤ）と認識する。すると、前記制御部は、第１の白色シール２２と、白色基準部材２０と、第１白色シール２２と白色基準部材２０の間に存在する黒色部分１９との副走査方向の合計距離より短い距離、走査体１４を副走査方向一端側（図２の左端側）へ移動させ、その位置においてＣＣＤセンサ１６は第１の読取データと第２の読取データの各値を確認する。
【００２７】
その結果、第１の読取データ及び第２の読取データが（黒色、黒色）であることをＣＣＤセンサ１６が判別した場合、前記制御部は、走査体１４を、所定距離、副走査方向一端側（図２の左端側）へ移動させ、その位置においてＣＣＤセンサ１６は、再度、第１の読取データと第２の読取データの各値を確認する。
【００２８】
以降、同様の動作を繰り返し、第１の読取データと第２の読取データの少なくともいずれかが白色であることをＣＣＤセンサ１６が検知した場合、走査体１４は移動可能範囲の左側限度付近（図２中のＡ）又は白色基準部材２０の下方（図２中のＢ）まで移動したことになるため、それぞれの位置から、上記した初期位置検出手順により、位置検出動作を行う。
【００２９】
また、図３の最下段に示すように、第１の読取データと第２の読取データの組合せが（黒色、白色）であることをＣＣＤセンサ１６が判別した場合、ＣＣＤセンサ１６は、走査体１４の位置を、走査体１４の移動可能範囲の右側限度付近（図２中のＥ）と認識する。すると、前記制御部は、画像読取範囲（図２中のＤ）の副走査方向の距離より長い距離、走査体１４を副走査方向一端側（図２の左端側）へ移動させる。そして、この位置における第１の読取データと第２の読取データの少なくともいずれかが白色であることをＣＣＤセンサ１６が検知した場合、走査体１４が走査体１４の移動可能範囲の左側限度付近（図２中のＡ）又は白色基準部材２０の下方（図２中のＢ）まで移動したことになるため、それぞれの位置から、上記した初期位置検出手順により、位置検出動作を行う。
【００３０】
一方、この時、第１の読取データと第２の読取データが共に黒色であることをＣＣＤセンサ１６が検知した場合、走査体１４が第１白色シール２２と白色基準部材２０の間（図２中のＣ）まで移動したことになるため、この位置から、上記した初期位置検出手順により、位置検出動作を行う。
【００３１】
上記したように、第１白色シール２２及び第２白色シール２３を画像領域外に設け、ＣＣＤセンサ１６で走査体１４の副走査方向の位置を検出することによって、位置検出用センサを廃止し、コストダウンを図ることができる。
【００３２】
また、ＣＣＤセンサ１６によって画像領域外を検知することにより、コンタクトガラス１２上の原稿１１や原稿台マットの開閉に左右されることなく走査体１４の位置を検出することができ、ＣＣＤセンサ１６の読取値の精度が向上するため、走査体１４が移動する際にスキャナフレーム１３に衝突してしまったり、走査体１４の初期位置を誤検出してしまったりするおそれがなく、装置の信頼性を高めることができる。
【００３３】
さらに、走査体１４の位置を５つに大別することにより、各位置から適切な位置検出動作が可能となり、ＣＣＤセンサ１６による検出回数を削減することができ、走査体１４の初期位置の検出時間を短縮することができる。
【００３４】
なお、上記した本発明の実施の形態では、スキャナフレーム１３を黒色、副走査方向の位置検出用の色分け部を白色に設定したが、本発明はこの色の組み合わせに限定されるものではなく、各種変更が可能である。
【００３５】
また、上記した色分け部の設置数や設置場所についても単なる例示に過ぎず、例えば、白色のスキャナフレームに黒色の色分け部を設けてもよい。なお、この場合、白色基準部材２０の位置と画像読取範囲の位置は、共に画像領域外が白色になるので、これを判別できるように黒色の色分け部を増やして位置検出を行う。
【符号の説明】
【００３６】
１０          画像読取装置
１１          原稿
１２          コンタクトガラス（原稿台）
１３          スキャナフレーム
１４          走査体
１６          ＣＣＤセンサ（画像読取センサ）
２０          白色基準部材
２２          第１白色シール
２３          第２白色シール
【図１】
2011077585.tif 000003
【図２】
2011077585.tif 000004
【図３】
2011077585.tif 000005